(57)【要約】【課題】傷病の程度や経過によって別個に用意していた杖や松葉杖をひとつの用具でいずれにも転用でき、かつ用具使用者の行動の利便性を用具転用に対応して確保向上させる杖を提供する。【解決手段】径の大きな外筒に径の小さい内筒もしくは丸棒を挿入し、双方を摺動および係止する機構を有する伸縮自在の杖において、内筒もしくは丸棒の外側を同様に摺動および係止する機構を具備した握り部を有し、さらに内筒もしくは丸棒の上端部に着脱が容易な係止機構を具備した脇当てを設け、また杖を握る手の反対側の肩に掛け、かつ杖を使用した歩行に支障をきたさない程度に充分な長さを確保調整でき、用具の転用に応じて杖の留め環金具からの着脱が可能なフックを両端に設けたストラップと、脇当て部の前後両端および握り部端部に肩掛けストラップのフックを係止する留め環金具を具備したことを特徴とする。【選択図】図１
2007061570.tif 000002
【特許請求の範囲】
【請求項１】
支柱を径の異なる２本の筒もしくは１本の丸棒と丸棒より径の大きな筒によって構成し、径の大きな外筒に径の小さい内筒もしくは丸棒を挿入し、双方を摺動および係止する機構を有する伸縮自在の杖において、内筒もしくは丸棒の外側を同様に摺動および係止する機構を具備した握り部を有し、さらに内筒もしくは丸棒の上端部に支柱からの着脱が容易な係止機構を具備した脇当てを設け、松葉杖と杖のいずれの用途にも簡単に転用することができることを特徴とした杖。
【請求項２】
杖を握る手の反対側の肩に掛け、かつ杖を使用した歩行に支障をきたさない程度に充分な長さを確保調整でき、杖の留め環金具からの着脱可能なフックを両端に設けたストラップと、脇当ての前後両端および握り部端部に肩掛けストラップのフックを係止するための留め環金具を具備したことを特徴とする杖。
【発明の詳細な説明】
【技術分野】
【０００１】  本発明は、杖の転用技術に関するものである。
【背景技術】
【０００２】  従来から、それぞれ別個の用具として松葉杖や杖などはあったが兼用できるものはなかった。
【発明の開示】
【発明が解決しようとする課題】
【０００３】    そのために、次のような問題点があった。
（イ）高齢者など加齢するに従い足の具合が悪化し、杖から松葉杖や車椅子と必要な用具が変化する。同様に骨折などのけがでも、回復とともに車椅子や松葉杖そして杖へと変わっていく。このように傷病の程度や経過に応じて、それぞれ別個に杖や松葉杖を用意していた。これらを全て取り揃えるには費用や保管場所に無駄があった。
（ロ）杖などの用具を使用しながら手を使った他の行動をするには利便性に問題があり、これを解消するための杖、松葉杖のいずれに転用しても有用なストラップがなかった。
本発明は、これらの問題点を解決するためになされたものである。
【課題を解決するための手段】
【０００４】  前述（イ）の課題を解決するために支柱を直径の異なる２本の筒もしくは１本の丸棒と丸棒より径の大きな筒によって構成し、径の大きな外筒に径の小さい内筒もしくは丸棒を挿入し、双方を摺動および係止する機構を有する伸縮自在の杖において、内筒もしくは丸棒の外側を同様に摺動および係止する機構を具備した握り部を有し、さらに内筒もしくは丸棒の上端部に支柱からの着脱が容易に可能な係止機構を具備した脇当てを設け、松葉杖と杖のいずれの用途にも簡単に転用することができることを特徴とした杖である。また、前述（ロ）の課題を解決するためには杖を握る手の反対側の肩に掛け、かつ杖を使用した歩行に支障をきたさない程度に充分な長さを確保調整でき、杖の留め環金具からの着脱可能なフック両端に設けたストラップと、脇当ての前後両端および握り部の端部に肩掛けストラップのフックを係止するための留め環金具を具備したことを特徴とした杖である。
【発明の効果】
【０００５】  本発明の用具を使用することにより、傷病の程度や経過に応じてそれぞれ個別に杖や松葉杖を用意する必要がなくなり、容易な操作で脇当て部の着脱や握り部の高さ位置、支柱の長さ調整することで杖から松葉杖あるいは松葉杖から杖へと転用できる。また転用に対応して脇当て部と握り部への肩掛けストラップ付け替えや着脱も容易で、使用者の体から用具を離すことなく使用者の手や手首が自由になり生活行動の幅を広げることができる。
【発明を実施するための最良の形態】
【０００６】    以下、本発明の実施の形態について説明する。
（イ）支柱を径の異なる２本の筒（２）（３）もしくは１本の丸棒（１）と丸棒より径の大きな外筒（２）によって構成し、径の大きな外筒（２）に径の小さい内筒（３）もしくは丸棒（１）を挿入し、双方を摺動および係止する機構を有する伸縮自在の杖において、内筒（３）もしくは丸棒（１）外側を同様に摺動および係止する機構を具備した握り部（４）を有し、さらに内筒（３）もしくは丸棒（１）の上端部に係止機構を具備した脇当て部（５）も有し、脇当て部（５）及び握り部（４）のいずれも支柱からの着脱が可能な機構を具備する。
（ロ）丸棒（１）もしくは内筒（３）の外周面に長手方向と平行する係止孔列（６）を有する。また脇当て部（５）、握り部（４）には、係止機構としてこの係止孔列（６）の係止孔へ、バネ（９）（１０）の力によって挿入され係止するピン（７）（８）とバネ（９）（１０）を引き戻すことによって係止を解除するレバー（１１）（１２）が設けられている。従って脇当て部（５）の係止は丸棒（１）もしくは内筒（３）の上端部の係止孔（６ａ）に脇当て部（５）の係止ピン（７）を挿入することによって可能になる。同様に、握り部（４）の係止ピン（８）は丸棒（１）もしくは内筒（３）の係止孔列（６）のいずれかの係止孔（６ｂ）を使用者が任意に選択し挿入係止する。
（ハ）丸棒（１）もしくは内筒（３）と外筒（２）相互は、支柱係止リング（１５）に取り付けられた係止ピン（１３）が外筒（２）の係止孔（１４）を貫通し、丸棒（１）もしくは内筒（３）の任意の係止孔（６ｃ）に挿入することで係止される。支柱係止リング（１５）は支柱からの脱着を容易にするため蝶番状に２分割され片翼どうしを軸（２６）、他翼にスナップ式留め具（１６）と留め具受け金具（１６ａ）が設けられている。
（ニ）脇当て部（５）を外しておく場合、安全や外観を考慮し露出した支柱上端を着脱可能なキャップ（１７）で覆う。
キャップ（１７）の装着にはキャップに埋め込まれたビス（２７）を丸棒（１）の上端面に設けられた雌ネジ（２９）もしくは内筒（３）上端の内側に設けられた丸板（２８）の雌ネジ（２９）にねじ込むことによって装着する。
（ホ）脇当て部（５）が外せることによって、握り部（４）と同等の係止機構を有する上腕支持具（１８）などの装着も可能となる。
（ヘ）脇当て部（５）の前後両端および握り部（４）端部に留め環金具（１９）を設ける。この留め環金具（１９）からの着脱可能なフック（２０）を両端に設けたストラップ（２１）を取り付ける。ストラップ（２１）は、杖を握る手の反対側の肩に掛けても、杖を使用した歩行に支障をきたさない程度に充分な長さを確保調整できるものである。
【図面の簡単な説明】
【０００７】
【図１】本発明の脇当て部使用の松葉杖実施例を示す斜視図
【図２】本発明の脇当て部を外した場合の杖実施例を示す斜視図
【図３】本発明の脇当て部を外した場合の上腕支持杖実施例を示す斜視図
【図４】本発明の脇当て部と丸棒支柱の係止機構断面図
【図５】本発明の脇当て部と内筒支柱の係止機構断面図
【図６】本発明の握り部と丸棒支柱の係止機構断面図
【図７】本発明の握り部と内筒支柱の係止機構断面図
【図８】本発明の丸棒支柱部の係止機構断面図
【図９】本発明の内筒支柱部の係止機構断面図
【図１０】本発明の支柱係止リング平面図
【図１１】本発明のキャップ丸棒支柱装着断面図
【図１２】本発明のキャップ内筒支柱装着断面図
【図１３】本発明のストラップ装脱着実施例を示す斜視図
【符号の説明】
【０００８】１      丸棒
２      外筒
３      内筒
４      握り部
５      脇当て部
６      丸棒もしくは内筒の係止孔列
６ａ    脇当て部係止の上端部係止孔
６ｂ    握り部係止の任意係止孔
６ｃ    支柱係止の任意係止孔
７      脇当て部の係止ピン
８      握り部の係止ピン
９      脇当て部のバネ
１０    握り部のバネ
１１    脇当て部の解除レバー
１２    握り部の解除レバー
１３    支柱係止リングの係止ピン
１４    外筒の係止孔
１５    支柱係止リング
１６    スナップ式留め具
１６ａ  留め具受け金具
１７    キャップ
１８    上腕支持具
１９    留め環金具
２０    フック
２１    ストラップ
２２    脇当て部の支柱摺動口
２３    握り部の支柱摺動口
２４    袋ナット
２５    座金
２６    支柱係止リングの蝶番軸
２７    埋め込みビス
２８    丸板
２９    雌ネジ
３０    脇当て部クッションカバー
３１    取付けビス
３２    紐通しリング
３３    平紐留め具
３４    石突きゴム足
【図１】
2007061570.tif 000003
【図２】
2007061570.tif 000004
【図３】
2007061570.tif 000005
【図４】
2007061570.tif 000006
【図５】
2007061570.tif 000007
【図６】
2007061570.tif 000008
【図７】
2007061570.tif 000009
【図８】
2007061570.tif 000010
【図９】
2007061570.tif 000011
【図１０】
2007061570.tif 000012
【図１１】
2007061570.tif 000013
【図１２】
2007061570.tif 000014
【図１３】
2007061570.tif 000015